(57)【要約】【課題】画像表示装置の昇降装置において、簡易な機構で、かつ駆動動力を抑える。【解決手段】画像表示装置１の昇降装置２は、筐体５と、筐体５に取付けられ、画像表示装置の画像表示部３とカウンターウェイト４とを、画像表示部３が鉛直方向に動かされたときに、カウンターウェイト４が鉛直方向に画像表示部３と反対方向に動かされるように支持する支持部１１とを有している。【選択図】  図１
2006330153.tif 000002
【特許請求の範囲】
【請求項１】
筐体と、
前記筐体に取付けられ、画像表示装置の画像表示部とカウンターウェイトとを、該画像表示部が鉛直方向に動かされたときに、該カウンターウェイトが鉛直方向に該画像表示部と反対方向に動かされるように支持する支持部と
を有する、画像表示装置の昇降装置。
【請求項２】
前記支持部は第１の滑車である、請求項１に記載の昇降装置。
【請求項３】
前記第１の滑車は、前記画像表示部と前記カウンターウェイトとを各々異なる半径位置で支持する、請求項２に記載の昇降装置。
【請求項４】
前記画像表示部の鉛直方向の移動を案内する画像表示部リニアガイドと、
前記カウンターウェイトの鉛直方向の移動を案内するカウンターウェイトリニアガイドと
を有する、請求項１から３のいずれか１項に記載の昇降装置。
【請求項５】
請求項１から４のいずれか１項に記載の昇降装置と、
前記画像表示部と、
前記カウンターウェイトと
を有する、画像表示装置。
【請求項６】
前記カウンターウェイトは、前記画像表示装置の駆動部の少なくとも一部を含んでいる、請求項５に記載の画像表示装置。
【請求項７】
前記昇降装置は、前記画像表示部と前記カウンターウェイトとを、鉛直方向に互いに重ならない位置まで互いに相対移動させる、請求項６に記載の画像表示装置。
【請求項８】
一端が前記画像表示部に、他端が前記カウンターウェイトに接続されたハーネスと、
前記ハーネスの両側が、鉛直方向に、同一方向を向いて延びるように巻きつけられた第２の滑車と、
一端が前記第２の滑車に、他端が前記筐体に支持され、該第２の滑車から該筐体に向けて、鉛直方向に、前記同一方向と逆方向に延びる弾性体と
を有する、請求項６または７に記載の画像表示装置。
【請求項９】
画像表示部と、
該画像表示部の駆動回路の少なくとも一部を含み、前記画像表示部を上昇させるときに連動して下降することで前記表示部を上昇させるために必要な力を軽減する部品と、
を有することを特徴とする画像表示装置。
【発明の詳細な説明】
【技術分野】
【０００１】
本発明は画像表示装置の昇降装置、および画像表示装置に関し、特に、薄型画像表示装置の昇降機構に関する。
【背景技術】
【０００２】
従来、テレビや、パーソナルコンピュータのディスプレイ等の画像表示装置には、ＣＲＴ(Cathode Ray Tube)を用いた画像表示装置が用いられてきた。ＣＲＴ型の画像表示装置は、重量や奥行きのために設置場所の制約が大きく、チルト機構や首振り機構の追加によってそのデメリットがわずかに補われてきた。一方、近年では、平板型画像表示装置が広く普及している。平板型画像表示装置は、軽量・薄型という特性により、設置場所の自由度が高く、設置方法や収納方法の多様化が可能である。一例として、画像表示装置を直線ガイドに支持させ、渦巻きばねで上下移動に伴う反力を支持して、使用時には机の上に引き出し、非使用時には机の下に収納する構造の、ＯＡ機器用ディスプレイの昇降装置が開示されている（特許文献１参照）。
【特許文献１】特開２０００−７００４８号公報
【発明の開示】
【発明が解決しようとする課題】
【０００３】
平板型画像表示装置は、その設置場所の自由度の高さによって、ＣＲＴ型の画像表示装置では考えられなかった様々な設置方法で設置される可能性がある。その一つが、高さの調節機能である。しかし、装置全体を十分な昇降幅を持ったスタンドに設置して上下させようとすると昇降機構が大きくなり、スタンドそのものが大きくなってしまう。この結果、スタンドの設置面積や重量も増加し、設置自由度が高いという平板型画像表示装置本来のメリットが生かされなくなってしまう。
【０００４】
本発明は、簡易な機構で、かつ駆動動力を抑えることのできる画像表示装置の昇降装置、および画像表示装置を提供することを目的とする。
【課題を解決するための手段】
【０００５】
本発明の画像表示装置の昇降装置は、筐体と、筐体に取付けられ、画像表示装置の画像表示部とカウンターウェイトとを、画像表示部が鉛直方向に動かされたときに、カウンターウェイトが鉛直方向に画像表示部と反対方向に動かされるように支持する支持部とを有している。
【０００６】
本発明の画像表示装置は、上記の昇降装置と、画像表示部と、カウンターウェイトとを有している。
【発明の効果】
【０００７】
このように、本発明の画像表示装置の昇降装置および画像表示装置によれば、画像表示部を上昇または下降させると、これに伴ってカウンターウェイトが反対方向に下降または上昇するので、駆動力が互いに相殺される。この結果、簡易な機構で画像表示部の昇降が可能となり、また、必要な駆動力が低減できる。
【発明を実施するための最良の形態】
【０００８】
以下、本発明の一実施形態による画像表示装置を、図面を参照して詳細に説明する。図１は、本発明の実施形態による画像表示装置の背面図である。同図(ａ)は、画像表示ユニットを収納した状態を、同図（ｂ）は画像表示ユニットを上方に引き出した状態を示す。
【０００９】
画像表示装置１は、表面伝導型電子放出型表示装置（ＳＥＤ）、電界放出型表示装置（ＦＥＤ）、液晶表示装置、プラズマディスプレー表示装置等の、任意の平板型画像表示装置である。昇降装置２と、画像表示ユニットである画像表示部３と、カウンターウェイト４とを備えている。画像表示装置１は、画像表示部３とカウンターウェイト４は各々、昇降装置２の筐体５に固定された画像表示部リニアガイド６とカウンターウェイトリニアガイド７に沿って、鉛直方向の移動を案内され、鉛直方向に直線的に動くように支持されている。画像表示部３には、電動機構からなるパワーアシストユニット８が設けられ、画像表示部３の鉛直方向への移動がスムーズにおこなわれる。パワーアシストユニット８は、リモコンユニット（図示せず）からの遠隔操作で駆動するようにしてもよい。また、パワーアシストユニット８は、画像表示部３でなく、カウンターウェイト４を駆動するようにしてもよい。
【００１０】
昇降装置２の筐体５には、第１の滑車１１が取付けられている。第１の滑車１１は、カウンターウェイト用定滑車１２と、画像表示ユニット用定滑車１３とから構成され、これらの滑車１２，１３は、互いに固定され、同軸に取付けられている。すなわち、カウンターウェイト用定滑車１２と、画像表示ユニット用定滑車１３は、同一の回転軸を中心に、同位相で回転する。画像表示部３は、画像表示ユニット支持ベルト１４によって画像表示ユニット用定滑車１３に連結されている。カウンターウェイト４は、カウンターウェイト支持ベルト１５によってカウンターウェイト用定滑車１２に連結され、さらに、カウンターウェイト補助ベルト１７によってカウンターウェイト補助定滑車１６に連結されている。画像表示部３と、カウンターウェイト４は、第１の滑車１１の中心点に対して互いに反対側に固定されている。
【００１１】
このようにして、第１の滑車１１は、画像表示装置１の画像表示部３とカウンターウェイト４の支持部を構成し、画像表示部３が鉛直方向に上昇するとカウンターウェイト４が鉛直方向に下降する。また、逆に画像表示部３が鉛直方向に下降するとカウンターウェイト４は鉛直方向に上昇する。カウンターウェイト４を設けたことによって、画像表示部３の上下移動に必要な動力の一部がカウンターウェイト４の自重（位置エネルギー）でまかなわれるため、パワーアシストユニット８の動力を軽減することができる。なお、本明細書においては、鉛直方向とは、厳密な意味での鉛直方向だけではなく、真の鉛直方向から若干傾いている場合も含む。
【００１２】
カウンターウェイト４は、画像表示装置１とは無関係な単なる鎮（おもり）で構成してもよいが、本実施形態では、画像表示装置１を駆動する、電源、画像処理回路、ドライバ等の駆動部の一部で構成されている（駆動部の全部で構成されていてもよい）。この場合、画像表示部３の重量が減ったのと同様の効果が得られるだけでなく、専用の鎮が不要となるので、画像表示装置の小型化、軽量化、低価格化につながり、また、パワーアシストユニット８の動力を一層軽減することができる。
【００１３】
また、画像表示部３とカウンターウェイト４は、共に発熱体であるため、これらを離すことで放熱効率が高まるというメリットもある。発熱の大きな薄型ディスプレイはファンを用いる必要があり、静粛性に問題があったが、本実施形態の画像表示装置では、発熱部が分散されるため、静粛性を保ったまま放熱効率を高めることも可能となる。本実施形態では、画像表示部３とカウンターウェイト４とを、鉛直方向に互いに重ならない位置まで互いに相対移動させることができるので、放熱効率の面からは最も望ましい。画像表示部３の移動距離は決まっているので、この観点からは、カウンターウェイト４の移動距離ができるだけ大きくなるよう設計することが望ましい。
【００１４】
カウンターウェイト用定滑車１２と、画像表示ユニット用定滑車１３は、互いに半径が異なっており、画像表示部３とカウンターウェイト４とを、各々異なる半径で支持している。これによって、画像表示部３やカウンターウェイト４が支持される半径を個別に調整でき、カウンターウェイト４の重量や、カウンターウェイト４のストロークの制約を踏まえた最適な構成が実現できる。
【００１５】
画像表示部３の鉛直方向の移動距離と、カウンターウェイト４の鉛直方向の移動距離は、画像表示ユニット用定滑車１３とカウンターウェイト用定滑車１２の半径に比例する。画像表示ユニット用定滑車１３の半径に対するカウンターウェイト用定滑車１２の半径の比は、カウンターウェイトとして最大の効果を得る観点からは、理想的には、カウンターウェイト４の重量に対する画像表示部３の重量の比に等しいことが望ましい。筐体５の寸法や、カウンターウェイト４のストロークの制約や、上述したように、カウンターウェイト４を駆動部で構成する場合にはカウンターウェイト４の重量の制約から、この条件を完全に満たすことが難しいこともありえる。しかし、できるだけ上記の比率に近づけることが望ましい。
【００１６】
図２は、画像表示部とカウンターウェイトとをつなぐハーネスを示す、画像表示装置の背面図である。同図(ａ)〜（ｃ）は各々、画像表示部の高さが最低位置にある場合、中間位置にある場合、最高位置にある場合を示している。
【００１７】
ハーネス２１は、画像表示部３と、カウンターウェイト４の機能を有する駆動部とを接続するケーブル等の集合体を収めた、ビニール等からなる中空管である。ハーネス２１は、その両側が鉛直方向に同一方向を向いて延びるように、第２の滑車２２にＵ字型に巻きつけられている。ハーネス２１の一端は画像表示部３の支持部２４に、他端はカウンターウェイト４の支持部２５に取付けられている。第２の滑車２２には、ばね２３が取り付けられており、ばね２３は、鉛直方向に、上記の方向と逆方向に延びて、他端が筐体５に支持されている。
【００１８】
ハーネス２１は、画像表示部３とカウンターウェイト４とを接続しているため、画像表示部３の昇降に伴いこれらが相対運動をすると、ハーネス２１自体も過大な張力を受けたり、過大にたわんだりする。ハーネス２１が過大な張力を受けることは、ケーブルの切断に直結するため、特に避けられなければならない。しかし、ハーネス２１が過大にたわむことも、ハーネス２１が画像表示部３や設置場所の壁面等と擦れ、長期使用後にハーネス２１の破損につながるおそれがあるため、避けられなければならない。
【００１９】
本実施形態では、第２の滑車２２およびばね２３によって、ハーネス２１には常に一定の張力がかけられている。そのメカニズムについて以下に説明する。ここでは、画像表示ユニット用定滑車１３の半径が、カウンターウェイト用定滑車１２の半径よりも大きいとする。まず、画像表示部３は、図２（ａ）に示すように、最低位置にある。このとき、カウンターウェイト４は最高位置にあり、第２の滑車２２は最低位置にある。次に、図２（ｂ）に示すように、画像表示部３が中間位置まで持ち上げられると、ハーネス２１の全長は一定であるので、ハーネス２１の画像表示部３側の長さが増えた分だけ、ハーネス２１のカウンターウェイト４側の長さが減る。ところが、画像表示部３が持ち上げられる高さと、カウンターウェイト４が下げられる高さは、滑車１２，１３の半径比に応じて異なるため、画像表示部３側が持ち上げられる高さだけ、カウンターウェイト４は下げられない。しかし、このときばね２３が伸び、第２の滑車２が持ち上げられるので、画像表示部３とカウンターウェイト４とのストロークの差は吸収される。
【００２０】
ハーネス２１には、ばね２３の伸びに応じた張力がかかるが、ばね２３のばね定数はハーネス２１にたわみが発生しない程度の大きさで十分であるため、ばね２３の反力でハーネス２１が損傷することはない。さらに、図２（ｃ）に示すように、画像表示部３が最高位置まで持ち上げられると、ばね２３はさらに伸びるが、ハーネス２１にかかる張力は大きく変わらない。
【００２１】
このように、画像表示部３の昇降に合わせてハーネス２１が動く場合も、ハーネス２１には一定の張力がかかり、過大な張力やたわみは生じないので、ハーネス２１の健全性が保たれ、画像表示部３の昇降もスムーズにおこなわれる。
（実施例）
本発明の画像表示装置を以下に示す仕様で作成した。画像表示装置１は、筐体５を除く重量が約２０ｋｇであり、そのうち画像表示部３は１６ｋｇ、カウンターウェイト４は駆動部の一部を取り込み、４ｋｇとした。カウンターウェイト用定滑車１２と画像表示ユニット用定滑車１３の直径は１：２とした（したがって、例えば画像表示ユニットが４００ｍｍ上昇する間に、カウンターウェイトが２００ｍｍ下がることになる。）。これは、４ｋｇのカウンターウェイトとカウンターウェイト用定滑車１２の直径とで決まるモーメントと、画像表示部３のうち２ｋｇ分の重量と画像表示ユニット用定滑車１３の直径とで決まるモーメントが等しいことを意味する。すなわち、画像表示部３の重量１６ｋｇのうち２ｋｇ分の上昇に対応する駆動力が、カウンターウェイト４の下降に対応する駆動力と相殺され、画像表示ユニットを持ち上げるのに必要な駆動力は１４ｋｇとなる。この結果、画像駆動部の一部をカウンターウェイトに移さずに２０ｋｇのユニットをそのまま昇降させる場合と比べて、本実施例においては、３０％の駆動力の減少となった。
【００２２】
さらに、本実施例では、カウンターウェイト４の下部に、カウンターウェイト４を引き下げるばねとダンパとを取り付け（図示せず）、画像表示部３が完全に上昇した位置で、画像表示部３およびカウンターウェイト４の復元力とつりあうように設計した。使用するばねは、カウンターウェイトを用いない場合より小さなもので済むため、コスト面のみならずデザイン面においても有利であることが確認された。
【図面の簡単な説明】
【００２３】
【図１】本発明の実施形態による画像表示装置の背面図である。
【図２】画像表示部とカウンターウェイトとをつなぐハーネスを示す、画像表示装置の背面図である。
【符号の説明】
【００２４】
１  画像表示装置
２  昇降装置
３  画像表示部
４  カウンターウェイト
５  筐体
６  画像表示部リニアガイド
７  カウンターウェイトリニアガイド
１１  第１の滑車
２１  ハーネス
２２  第２の滑車
２３  ばね
【図１】
2006330153.tif 000003
【図２】
2006330153.tif 000004